(57)【要約】 【課題】壁パネルの製造コストおよび組立工数を削減できる壁パネルおよびこれを用いた建物を提供すること。【解決手段】壁パネル５は、縦に約３．６ｍ（１２尺）の長さで収納区画３２のある一階の壁面と中二階３３の壁面とが一体で形成され、下端から約１．２ｍの位置に、収納区画３２と中二階３３との境界部分に配置される収納区画天井パネル３３１を支持する埋木５１が内部に設けられている。また、壁パネル５の上端から約１．２ｍの位置には、埋木５２が内部に設けられており、埋木５１から埋木５２までの寸法と、壁パネル５の上端から埋木５２までの寸法と、壁パネル５の下端から埋木５１までの寸法とがそれぞれ約１．２ｍとなるように構成されている。また、埋木５１に対応する位置に係止部５３が設けられており、収納区画天井パネル３３１を載置する。【選択図】図２
2006161321.tif 000002
【特許請求の範囲】
【請求項１】
下階と上階との少なくとも一方に天井高が規定寸法より低くなった収納区画が形成される建物に設けられる壁パネルであって、
前記下階に対応する部分と前記上階に対応する部分とが一体形成され、前記下階と前記上階との境界部分に配置される床パネルを支持する床用支持部材と、前記収納区画を形成する収納区画用天井パネルを支持する収納区画用支持部材との少なくとも一方を内部に設けたことを特徴とする壁パネル。
【請求項２】
請求項１に記載の壁パネルにおいて、前記床用支持部材と前記収納区画用支持部材とは上下方向に配置されており、これらの床用支持部材と収納区画用支持部材との間の寸法と、パネル上端とパネル下端のいずれか一方と前記床用支持部材が配置される位置との間の寸法と、パネル上端とパネル下端のいずれか他方と前記収納区画用支持部材が配置される位置との間の寸法とは、略同じであることを特徴とする壁パネル。
【請求項３】
請求項１又は請求項２に記載の壁パネルにおいて、前記床用支持部材と前記収納区画用支持部材とに対応する位置にパネルを係止する係止部が突出して設けられていることを特徴とする壁パネル。
【請求項４】
請求項２又は請求項３に記載された壁パネルにおいて、前記床用支持部材および前記収納区画用支持部材と、パネル上端部とパネル下端部とにそれぞれ配置され前記床用支持部材および前記収納区画用支持部材にそれぞれ略平行に配置された枠材と、これらのうち１つの枠材の端部と前記床用支持部材の端部との間に斜めに配置された斜材と、残り１つの枠材の端部と前記収納区画用支持部材の端部との間に斜めに配置された斜材と、前記床用支持部材の端部と前記収納区画用支持部材の端部との間に斜めに配置された斜材とを備え、これらの斜材の端部同士が互いに連結されたことを特徴とする壁パネル。
【請求項５】
請求項１〜請求項４のいずれかに記載された壁パネルを備えた建物。
【請求項６】
請求項５に記載された建物であって、前記床パネルは上面と下面とにそれぞれ面材が配置されていることを特徴とする建物。
【発明の詳細な説明】
【技術分野】
【０００１】
本発明は、壁パネルおよびこれを用いた建物に関する。
【背景技術】
【０００２】
従来、建物の構築においては、あらかじめ工場などで製造された木質パネルを現場で組み立てて、建物の床、壁、屋根等を構築するパネル工法が知られている（たとえば特許文献１参照）。このようなパネル工法による二階建ての住宅においては、例えば、図７のように一階壁用パネル６１上に二階床パネル６２を設置して床を構築し、その床パネル６１上に二階用壁パネル６３を設置して二階壁を形成する。
また、特許文献２に示される建物には、二階に天井高さが規定寸法より低い収納区画が形成されている。
【０００３】
【特許文献１】特開２００２−５４３０４号公報（図１参照）
【特許文献２】特開平６−３２３００７号公報（図３および図４参照）
【発明の開示】
【発明が解決しようとする課題】
【０００４】
上述した図７に記載のパネル工法では、一階用壁パネル６１、二階用壁パネル６３のように各階毎に壁パネルを製造する必要がある。特に、収納区画を有する二階では、収納区画の一階よりも高さ寸法の高い壁パネルを用いる必要がある。しかも、収納区画を外壁パネルに隣接して形成する場合では、収納区画用天井パネルを外壁パネルに支持するための収納区画用支持部材を設けなければならない。そのため、壁パネルでは、各階毎に形状、大きさがなど異なることから、製造コストが高いという課題があり、実際の組み立て作業においても、組み立て工程が増えて作業が煩雑となるという課題もある。
【０００５】
本発明の目的は、製造コストおよび組立工数を削減できる壁パネルおよびこれを用いた建物を提供することである。
【課題を解決するための手段】
【０００６】
本発明の壁パネルは、図面を参照して説明すると、下階と上階との少なくとも一方に天井高が規定寸法より低くなった収納区画３２が形成される建物１に設けられる壁パネル５であって、前記下階に対応する部分と前記上階に対応する部分とが一体形成され、前記下階と前記上階との境界部分に配置される床パネル３４２を支持する床用支持部材５２と、前記収納区画３２を形成する収納区画用天井パネル３３１を支持する収納区画用支持部材５１との少なくとも一方を内部に設けたことを特徴とする。
【０００７】
この発明によれば、壁パネル５を下階部分から上階部分まで一体で形成し、さらにこの壁パネル５に床用支持部材５２および収納区画用支持部材５１を少なくとも一方に設けたので、床パネル３４２を接合する場合でも収納区画３２を形成する場合でも、壁パネル５を兼用できる。そのため、下階用と上階用とで壁パネル５を別々に製造したり、あるいは、収納区画３２を形成する場合と形成しない場合とで別々に壁パネル５を製造する場合に比べて部品点数を減少することができる。
【０００８】
本発明の壁パネルでは、前記床用支持部材５２と前記収納区画用支持部材５１とは上下方向に配置されており、これらの床用支持部材５２と収納区画用支持部材５１との間の寸法と、パネル上端とパネル下端のいずれか一方と前記床用支持部材５２が配置される位置との間の寸法と、パネル上端とパネル下端のいずれか他方と前記収納区画用支持部材５１が配置される位置との間の寸法とは、略同じである構成が好ましい。
この発明によれば、上端および下端のどちらの位置からも同じ寸法距離でこれらの支持部材が配置されるように構成しているので、上下の向きに注意を払う必要もなく使用することができる。
【０００９】
本発明の壁パネルでは、前記床用支持部材５２と前記収納区画用支持部材５１とのいずれかに対応する位置にパネルを係止する係止部５３が突出して設けられている構成が好ましい。
この発明によれば、壁パネル５に埋設された支持部材に係止部５３を釘打ちなどで固定し、この係止部５３に床パネル３４２や収納区画用天井パネル３３１を支持する。
そのため、係止部５３で床パネル３４２や収納区画用天井パネル３３１を確実に取り付けることができる。さらに、床パネル３４２などを取り付ける必要のない場所では、係止部５３を設ける必要がないから、外観が良好となる。
【００１０】
本発明の壁パネルでは、前記床用支持部材５２および前記収納区画用支持部材５１と、パネル上端部とパネル下端部とにそれぞれ配置され前記床用支持部材５２および前記収納区画用支持部材５１にそれぞれ略平行に配置された枠材５０１，５０２と、これらのうち１つの枠材５０１の端部と前記床用支持部材５２の端部との間に斜めに配置された斜材５０４と、残り１つの枠材５０２の端部と前記収納区画用支持部材５１の端部との間に斜めに配置された斜材５０４と、前記床用支持部材５２の端部と前記収納区画用支持部材５１の端部との間に斜めに配置された斜材５０４とを備え、これらの斜材５０４の端部同士が互いに連結された構成が好ましい。
この発明によれば、複数の斜材、床用支持部材及び収納区画用支持部材からトラス構造が構成されることになり、地震等に対して十分な補強を図れるだけでなく、床用支持部材や収納区画用支持部材に大きな荷重がかかっても、その荷重をトラス構造により無理なく支持することができる。
【００１１】
本発明の建物は、上述のいずれかに記載された壁パネル５を備えたことを特徴とする。
この発明によれば、前述の効果を有する建物１を提供することができる。
【００１２】
本発明の建物では、前記床パネル３４２は上面と下面とにそれぞれ面材が配置されている構成が好ましい。
この発明によれば、床パネル３４２の上面と下面とにそれぞれ面材が配置されているので、床パネル３４２自体の強度を増すことができる。
【発明を実施するための最良の形態】
【００１３】
以下、本発明の実施形態を図面に基づいて説明する。
図１は本発明の第１実施形態に係る壁パネルが適用された建物１の全体斜視図が示されている。
建物１は、基礎２と、この基礎２の上に設けられた建物本体３と、この建物本体３の上に設けられた屋根４とを備えている。
屋根４は、切妻屋根とされ、互いに反対方向に傾斜した傾斜屋根部４１，４２を備えている。
【００１４】
建物本体３は、二階建てとされ、その一部は、一階床パネル３１１から屋根４の下面に設けられた天井３１２まで吹抜け構造とされている。また、この一階３１の吹き抜け部分の空間に隣接する形で、天井高が約１．１〜１．４ｍの収納区画３２が形成されており、収納区画３２の天井面として収納区画天井パネル３３１が設けられている。この収納区画天井パネル３３１の上面側を床面として中二階３３が形成されている。収納区画３２へは、一階３１から収納区画出入り口３２１を通ることで入ることができ、また、中二階３３へは、一階階段３１３を上り、中二階廊下３３２を通り、中二階出入り口３３３を通ることで入ることができるように構成されている。そこからさらに中二階廊下３３２を通り、中二階階段３３４を上り、二階出入り口３４１を通ることで二階３４へ入ることができるように構成されている。また、二階３３４は、一階居室３５の上面に設けられている。
【００１５】
図２は図１のII−II断面図である。
一階には収納区画３２が形成されており、その壁面を壁パネル５の一部で構成されている。
壁パネル５は、枠体（図示省略）の外面に外壁面材５Ａ取り付け、内面に内壁側面材５Ｂを取り付け、内部には図示しない桟が設けられたもので、縦に約３．６ｍ（１２尺）の長さで収納区画３２のある一階の壁面と中二階３３の壁面とが一体で形成され、下端から約１．１〜１．４ｍの位置に、収納区画３２と中二階３３との境界部分に配置される収納区画天井パネル３３１を支持する収納区画用支持部材としての埋木５１が内部に設けられている。また、壁パネル５の上端から約１．２ｍの位置には、床用支持部材としての埋木５２が内部に設けられており、埋木５１から埋木５２までの寸法と、壁パネル５の上端から埋木５２までの寸法と、壁パネル５の下端から埋木５１までの寸法とがそれぞれ約１．１〜１．４ｍとなるように構成されている。また、収納区画天井パネル３３１を埋木５１に対応する位置に載置するために係止部５３が設けられている（図３参照）。
【００１６】
係止部５３は、壁パネル５の内壁側から埋木５１に対して釘５４を使用して固定され、収納区画天井パネル３３１を載置できるように内側へ向かって突出している。また、この場合は床パネルが載置されない埋木５２の部分には係止部５３は設けられていない。
【００１７】
収納区画天井パネル３３１は、係止部５３と接触する位置に下面から上方に向けて収納区画天井パネル３３１の略半ばまで切り欠き３３５が形成され、係止部５３に対して載置し易い形状になっている。なお、収納区画天井パネル３３１の厚みが薄い場合には切り欠き３３５は不要である。
また、収納区画天井パネル３３１の上面には床面材３３１Ａが、下面には床面材３３１Ｂがそれぞれ配置されている。
【００１８】
図４は図１におけるIV−IV断面図である。
図４には、床用支持部材である埋木５２に対して二階床パネル３４２を載置した構成が示されている。また、図４の壁パネル５は、図２に用いられている壁パネル５の上下の向きを逆にしたものを用いている。
この場合、二階部分は規定寸法よりも天井高が低く構成される。その寸法は、一番低い部分で約１．１〜１．４ｍとなり、そこから天井の形状に沿って高くなっている。また、埋木５１と同様に、係止部５３が壁パネル５の内壁側から埋木５２に対して釘（図３と同様のため図示省略）を使用して固定され、二階床パネル３４２を載置できるように内側へ向かって突出している。また、この場合は床パネルが載置されない埋木５１の部分には係止部５３は設けられていない。
【００１９】
二階床パネル３４２は、係止部５３と接触する位置に下面から上方に向けて二階床パネル３４２の略半ばまで切り欠き３４３が形成され、係止部５３に対して載置し易い形状になっている。また、二階床パネル３４２の上面には床面材３４２Ａが、下面には床面材３４２Ｂがそれぞれ配置されている。
【００２０】
このような第１実施形態によれば、次の効果を奏することができる。
（１）壁パネル５を一階部分から二階部分まで一体で形成し、さらに壁パネル５に埋木５１，５２および係止部５３を設けたので、収納区画天井パネル３３１によって収納区画３２を形成する場合でも、二階床パネル３４２によって二階３４を形成する場合でも、壁パネル５を兼用できるので、一階用と二階用とで壁パネルを別々に製造したり、あるいは、収納区画３２を形成する場合と形成しない場合とで別々に壁パネルを製造する場合に比べて部品点数を減少することができる。
【００２１】
（２）下端から上端まで約３．６ｍの壁パネル５に対して、埋木５１から埋木５２までの寸法と、壁パネル５の上端から埋木５２までの寸法と、壁パネル５の下端から埋木５１までの寸法とがそれぞれ約１．１〜１．４ｍの範囲で等しくなるように構成した。そのため、パネル端部と埋木５１，５２との間が三等分されることによって、上下の向きに注意を払う必要もなく使用することができる。
【００２２】
（３）収納区画天井パネル３３１または二階床パネル３４２などを取り付ける必要のない場所では、係止部５３を設ける必要がないから、外観が良好となる。
（４）収納区画天井パネル３３１および二階床パネル３４２は、両面に床面材がそれそれ配置されているので、パネル自体の剛性を強化することができる。
【００２３】
（５）収納区画天井パネル３３１および二階床パネル３４２の係止部５３と接触する部位に切り欠き３３５，３４２を備えることで、より安定してこれらのパネルを支持することができる。
（６）収納区画天井パネル３３１および二階床パネル３４２の係止部５３と接触する部位に切り欠き３３５，３４２を備えることで、係止部５３が下面に突出することもなく、外観が良好となる。
【００２４】
次に、本発明の第２実施形態について図５および図６に基づいて説明する。
図５は第２実施形態の建物の全体を示す概略斜視図である。第２実施形態は第１実施形態とは建物本体３０の外壁の構造が主に相違するものであり、他の構造は第１実施形態と略同じである。なお、第２実施形態の説明において第１実施形態と同じ構成は同一の符号を付して説明を省略する。
図５において、建物の外壁部は、壁パネル５および壁パネル５０を備えて構成されている。壁パネル５０は、主に補強が必要な部分、例えば、建物の隅部にＬ字型となるように複数が並べて配置されている。
【００２５】
壁パネル５０の具体的な構造が図６に示されている。
図６において、壁パネル５０は、パネル上端部とパネル下端部とにそれぞれ配置された枠材５０１，５０２と、これらの枠材５０１，５０２の端部同士を接続する縦枠材５０３と、隣合う縦枠材５０３の間に設けられた埋木５１，５２と、これらの枠材５０１，５０２および埋木５１，５２のうち隣合う部材間に斜めに配置される斜材５０４と、パネル表裏面を覆う図示しない面材とを備えた構造である。この壁パネル５０は壁パネル５と同様にパネル端部と埋木５１，５２との間が三等分される。なお、枠材５０１〜５０３、埋木５１，５２および斜材５０４は鋼材から形成してもよく、木材から形成してもよい。
複数の斜材５０４は、その端部同士が連結されており、埋木５１，５２とともにトラス構造を構成する。
【００２６】
従って、第２実施形態では第１実施形態の作用効果を奏する他、次の作用効果を奏することができる。
つまり、第２実施形態では、壁パネル５０は埋木５１，５２と、パネル上端部とパネル下端部とにそれぞれ配置され埋木５１，５２にそれぞれ略平行に配置された枠材５０１，５０２と、これらの部材のつち隣り合う部材間にそれぞれ斜めに配置された斜材５０４とを備え、これらの斜材５０４の端部同士が互いに連結されたトラス構造としたので、地震等に対して十分な補強を図れるだけでなく、埋木５１，５２に大きな荷重がかかっても、その荷重をトラス構造により無理なく支持することができる。
【００２７】
なお、本発明は前述の実施形態に限定されるものではなく、本発明の目的を達成できる範囲での変形、改良等は本発明に含まれるものである。
前記実施形態では、埋木５１および埋木５２の位置は、下端から約１．１〜１．４ｍの範囲の所定位置ごとに内部に設けられていたが、もっと数を増やし、例えば、約０．６ｍごとに埋木を設け、より床パネルの配置位置を柔軟に行えるようにしてもよい。
また、係止部５３は、埋木５１および埋木５２に対して釘を用いて固定されているが、これに限らず、例えば、接着剤等を用いて固定してもかまわない。
【００２８】
また、収納区画天井パネル３３１および二階床パネル３４２の係止部５３と接触する部位には切り欠きが形成されているが、例えば、コ字状にくり貫いて嵌合させる構成でもかまわない。
【産業上の利用可能性】
【００２９】
本発明は、一般的なパネル工法の建物に利用することができる。
【図面の簡単な説明】
【００３０】
【図１】本発明の第１実施形態に係る建物を示す斜視図。
【図２】図１のII−II線断面図。
【図３】本実施形態の要部を示す拡大断面図。
【図４】図１のIV−IV線断面図。
【図５】本発明の第２実施形態に係る建物の全体を示す概略斜視図。
【図６】第２実施形態の壁パネルを示す正面図。
【図７】従来例を示す建物の断面図。
【符号の説明】
【００３１】
１…建物
２…基礎
３…建物本体
４…屋根
５…壁パネル
５１…埋木
５２…埋木
５３…係止部
３３１…収納区画天井パネル
３３１Ａ…床面材
３３１Ｂ…床面材
３３５…切り欠き
【図１】
2006161321.tif 000003
【図２】
2006161321.tif 000004
【図３】
2006161321.tif 000005
【図４】
2006161321.tif 000006
【図５】
2006161321.tif 000007
【図６】
2006161321.tif 000008
【図７】
2006161321.tif 000009